(57)【要約】【課題】連結表示において、全体画像から切り出す部分画像の切り出し位置を容易に変更できるようにする。【解決手段】端末装置（ＴＡ）は、自装置の傾きを特定する傾き特定部（１２１）と、傾き特定部（１２１）が特定した傾きに応じて自装置が表示する部分画像の切り出し位置を決定する表示領域決定部（１４）と、を備えている。【選択図】図１
2018189826.tif 000002
【特許請求の範囲】
【請求項１】
ユーザに提示する全体画像から複数の異なる切り出し位置で切り出した部分画像を、それぞれ異なる表示装置に表示させて、当該複数の表示装置により上記全体画像を閲覧させる連結表示を行う表示システムに含まれる表示装置であって、
自装置の傾きを特定する傾き特定部と、
上記傾き特定部が特定した傾きに応じて自装置が表示する部分画像の切り出し位置を決定する表示領域決定部と、を備えていることを特徴とする表示装置。
【請求項２】
上記表示領域決定部は、上記傾き特定部が特定した傾きに応じて自装置の表示画面上に設定された基準位置を特定すると共に、上記表示システムに含まれる他の表示装置の傾きに応じて当該他の表示装置の表示画面上に設定された当該他の表示装置の基準位置を取得し、それらの基準位置が上記他の表示装置と自装置との隣接方向に一直線上に並ぶように上記他の表示装置と自装置とを位置合わせしたときに、上記全体画像がずれることなく連結表示されるように上記切り出し位置を決定することを特徴とする請求項１に記載の表示装置。
【請求項３】
上記表示領域決定部が設定した基準位置に、該基準位置が上記他の表示装置と自装置との位置合わせの基準となる位置であることを示す基準情報を表示させる表示制御部を備えていることを特徴とする請求項２に記載の表示装置。
【請求項４】
上記表示制御部は、上記連結表示の開始後、所定の条件が充足されるまで上記基準情報を表示させ続け、該所定の条件が充足されたときに上記基準情報の表示を終了することを特徴とする請求項３に記載の表示装置。
【請求項５】
上記表示制御部は、上記表示システムに含まれる他の表示装置が表示する部分画像の切り出し位置を示す領域割当情報を自装置の表示画面に表示させることを特徴とする請求項３または４に記載の表示装置。
【請求項６】
連結表示中に自装置の表示画面に表示している部分画像に対する画像処理を行う場合に、上記表示システムに含まれる他の表示装置にも上記画像処理を行わせる画像処理制御部を備えていることを特徴とする請求項１から５の何れか１項に記載の表示装置。
【請求項７】
上記表示領域決定部は、連結表示中に自装置が上記表示システムに含まれる他の表示装置に対して移動した場合に、自装置が表示する部分画像の切り出し位置を、該移動の方向および距離に応じて変化させることを特徴とする請求項１から６の何れか１項に記載の表示装置。
【請求項８】
ユーザに提示する全体画像から複数の異なる切り出し位置で切り出した部分画像を、それぞれ異なる表示装置に表示させて、当該複数の表示装置により上記全体画像を閲覧させる連結表示を行う表示システムに含まれる表示装置の制御方法であって、
自装置の傾きを特定する傾き特定ステップと、
上記傾き特定ステップで特定した傾きに応じて自装置が表示する部分画像の切り出し位置を決定する表示領域決定ステップと、を含むことを特徴とする表示装置。
【請求項９】
請求項１に記載の表示装置としてコンピュータを機能させるための制御プログラムであって、上記傾き特定部および上記表示領域決定部としてコンピュータを機能させるための制御プログラム。
【発明の詳細な説明】
【技術分野】
【０００１】
本発明は、ユーザに提示する全体画像から複数の異なる切り出し位置で切り出した部分画像を、それぞれ異なる表示装置に表示させて、当該複数の表示装置により上記全体画像を閲覧させる連結表示を行う表示システムに含まれる表示装置等に関する。
【背景技術】
【０００２】
表示装置を複数組み合わせて１つの表示領域を構成し、その表示領域に画像を表示する技術が知られている。このような技術は、マルチディスプレイとも呼ばれている。例えば、下記特許文献１には、隣り合せる端末に対して所定の接続操作を行い、それを基に端末の隣接関係を判定し、その隣接関係に応じた表示制御を行うことにより、マルチディスプレイを実現することが記載されている。
【先行技術文献】
【特許文献】
【０００３】
【特許文献１】特開２０１２−１３３０６８号公報（２０１２年７月１２日公開）
【発明の概要】
【発明が解決しようとする課題】
【０００４】
しかしながら、上記の従来技術では、端末の配置や画面サイズ等によって各端末に表示させる部分画像の全体画像からの切り出し位置が一義的に決まってしまい、全体画像から切り出す部分画像の切り出し位置を変更することができないという問題点があった。
【０００５】
本発明の一態様は、連結表示において、全体画像から切り出す部分画像の切り出し位置を容易に変更可能にする表示装置等を実現することを目的とする。
【課題を解決するための手段】
【０００６】
上記の課題を解決するために、本発明の一態様に係る表示装置は、ユーザに提示する全体画像から複数の異なる切り出し位置で切り出した部分画像を、それぞれ異なる表示装置に表示させて、当該複数の表示装置により上記全体画像を閲覧させる連結表示を行う表示システムに含まれる表示装置であって、自装置の傾きを特定する傾き特定部と、上記傾き特定部が特定した傾きに応じて自装置が表示する部分画像の切り出し位置を決定する表示領域決定部と、を備えている。
【０００７】
また、本発明の一態様に係る表示装置の制御方法は、上記の課題を解決するために、ユーザに提示する全体画像から複数の異なる切り出し位置で切り出した部分画像を、それぞれ異なる表示装置に表示させて、当該複数の表示装置により上記全体画像を閲覧させる連結表示を行う表示システムに含まれる表示装置の制御方法であって、自装置の傾きを特定する傾き特定ステップと、上記傾き特定部ステップで特定した傾きに応じて自装置が表示する部分画像の切り出し位置を決定する表示領域決定ステップと、を含む。
【発明の効果】
【０００８】
本発明の一態様によれば、連結表示において、全体画像から切り出す部分画像の切り出し位置を容易に変更可能にすることができるという効果を奏する。
【図面の簡単な説明】
【０００９】
【図１】本発明の実施形態１に係る端末装置の要部構成の一例を示すブロック図である。
【図２】連結表示の際に端末装置が実行する処理の一例を示すフローチャートである。
【図３】上記端末装置に画像を表示させた例を示す図である。
【図４】基準点を表示画面の上端に位置させて連結表示を行った例を説明する図である。
【図５】基準点を表示画面の下端に位置させて連結表示を行った例を説明する図である。
【図６】上記端末装置の基準点を表示画面の下端に位置させ、上記端末装置と連結表示する端末装置の基準点を表示画面中央よりも上端寄りに位置させて連結表示を行った例を説明する図である。
【図７】一方の端末装置と他方の端末装置とを上下に隣接させ、一方の端末装置および他方の端末装置の短辺同士を衝突させて連結表示を行った例を説明する図である。
【図８】一方の端末装置の短辺と他方の端末装置の長辺とを衝突させて連結表示を行った例を説明する図である。
【図９】３台の端末装置で連結表示を行う例を説明する図である。
【図１０】３台の端末装置で連結表示を行う他の例を説明する図である。
【図１１】３台の端末装置で連結表示を行うさらに他の例を説明する図である。
【図１２】左右に隣接した端末装置間で連結表示する場合の全体画像と表示領域の設定方法の一例を示す図である。
【図１３】上下に隣接した端末装置間で連結表示する場合の全体画像と表示領域の設定方法の一例を示す図である。
【図１４】本発明の実施形態２に係る端末装置に関し、連結表示中におけるユーザ操作に応じた表示の一例を示す図である。
【図１５】本発明の実施形態３に係る端末装置に関し、連結表示中の端末装置のうちの１つを移動させたときの表示例を示す図である。
【発明を実施するための形態】
【００１０】
〔実施形態１〕
本発明の一実施形態について以下説明する。まず、本実施形態に係る端末装置の機能概要を図３に基づいて説明する。図３は、本実施形態に係る端末装置（表示装置）ＴＡおよびＴＢに画像を表示させた例を示す図である。端末装置ＴＡおよびＴＢは、画像を表示する表示画面を備えた装置である。端末装置ＴＡおよびＴＢは、表示画面を備えた装置であればよく、例えばスマートフォンやタブレット端末等であってもよい。
【００１１】
端末装置ＴＡおよびＴＢは、端末装置ＴＡの表示画面と端末装置ＴＢの表示画面とを並べて１つの表示領域とし、その表示領域に画像を表示させ、これにより複数の表示画面により画像を閲覧させる表示システムを構成する。以下、このような表示を連結表示と呼ぶ。
【００１２】
端末装置ＴＡとＴＢとで連結表示を行う場合、端末装置ＴＡおよびＴＢのそれぞれに、連結表示の際の端末装置ＴＡとＴＢとの位置合わせのための基準点（基準情報）および基準線（基準情報）を表示させる。具体的には、図３の（ａ）に示すように、端末装置ＴＡには、基準点ＰＡと、基準点ＰＡを通り、端末装置ＴＡの長手方向（高さ方向）に伸びる基準線ＬＨＡと、基準点ＰＡを通り、端末装置ＴＡの短手方向（幅方向）に伸びる基準線ＬＷＡとが表示されている。同様に、端末装置ＴＢには、基準点ＰＢと、基準線ＬＨＢと、基準線ＬＷＢとが表示されている。
【００１３】
基準点ＰＡの位置（基準位置）は、端末装置ＴＡの傾きを変化させることによって移動する。端末装置ＴＡが水平面に対して傾いていない、すなわち端末装置ＴＡの表示画面が水平となっている状態（例えば、端末装置ＴＡが水平な机の上等に置かれている状態）では、基準点ＰＡは、表示画面の中央部に表示される。基準点ＰＢも同様である。
【００１４】
まず、図３の（ａ）に示すように端末装置ＴＡと端末装置ＴＢとを左右に隣接させ、端末装置ＴＡおよびＴＢの長辺同士を近づける。
【００１５】
連結表示は、図３の（ｂ）に示すように、端末装置ＴＡとＴＢとを軽く衝突させることによって開始される。なお、この例のように、端末装置ＴＡとＴＢとを左右に隣接させて連結表示させる場合、基準線ＬＨＡ、ＬＨＢは不要であるから表示させていない。このように、必要な基準線のみを表示させることにより、ユーザが連結表示の位置合わせの方法を認識しやすくなるので好ましい。
【００１６】
連結表示によれば、図３の（ｃ）に示すような、端末装置ＴＡ、ＴＢの表示画面よりも大きいサイズの全体画像ＰＩＣを表示させることができる。すなわち、図３の（ｄ）に示すように、端末装置ＴＡには全体画像ＰＩＣの内、表示領域ＦＡ（切り出し位置）で切り出した画像（部分画像）が表示される。また、端末装置ＴＢには全体画像ＰＩＣの内、表示領域ＦＢ（異なる切り出し位置）で切り出した画像（部分画像）が表示される。これにより、端末装置ＴＡ、ＴＢのユーザは、端末装置ＴＡ、ＴＢの表示画面を１つの表示領域として、全体画像ＰＩＣを閲覧することができる。
【００１７】
全体画像ＰＩＣの何れの部分を表示領域ＦＡ、ＦＢとするかは、基準点ＰＡ、ＰＢの位置（表示画面上における位置）、端末装置ＴＡ、ＴＢの画面サイズ、および端末装置ＴＡ、ＴＢの隣接関係から決定される。これについて、図３の（ｅ）〜（ｈ）に基づいて説明する。図３の（ｇ）（ｈ）に示すように、ここでは端末装置ＴＡの画面サイズが高さｈ１、幅ｗ１であり、端末装置ＴＢの画面サイズが高さｈ２、幅ｗ２であるとする（ｈ１＜ｈ２、ｗ１＜ｗ２）。
【００１８】
図３の例では、同図の（ｂ）に示したように、端末装置ＴＡとＴＢとが左右に隣接しており、端末装置ＴＡが向かって左側、端末装置ＴＢが向かって右側となっている。また、基準点ＰＡ、ＰＢは何れも表示画面の中央部である。
【００１９】
この場合、連結表示する画像のサイズは、端末装置ＴＡとＴＢの画面の幅の和（ｗ１＋ｗ２）とする。そして、基準点ＰＡ、ＰＢが左右方向の一直線上に並ぶとき（基準線ＬＷＡの延長線上に基準線ＬＷＢが来るとき）に、表示領域ＦＡ、ＦＢがずれることなく１つの画像として認識されるように、表示領域ＦＡ、ＦＢの範囲を決定する。
【００２０】
〔装置構成〕
端末装置ＴＡの構成を図１に基づいて説明する。図１は、端末装置ＴＡの要部構成の一例を示すブロック図である。なお、端末装置ＴＢもＴＡと同様の構成を備えている。図示のように、端末装置ＴＡは、端末装置ＴＡの各部を統括して制御する制御部１、端末装置ＴＡが使用する各種データを記憶する記憶部２、および端末装置ＴＡが他の装置と通信するための通信部３を備えている。また、端末装置ＴＡは、制御部１の制御に従って画像を表示する表示部４、ユーザの入力操作を受け付けるタッチパネル５、加速度を検出する加速度センサ６、および時間を計測するタイマー７を備えている。なお、表示部４の表示画面がタッチパネル５の入力面を兼ねている。
【００２１】
また、制御部１には、情報取得部１１、動作特定部１２、関連付け部１３、表示領域決定部１４、情報送信部１５、操作検出部１６、操作判定部１７、および表示制御部１８が含まれている。そして、記憶部２には、連結表示設定情報２１が記憶されている。
【００２２】
情報取得部１１は、通信部３を介した通信により、連結表示に必要な情報を取得する。詳細は後述するが、情報取得部１１は、衝突の検知時刻、画面サイズ、衝突時の画面の向き、および基準点の位置、衝突前の移動方向を示す情報等を、連結表示の対象となる他の端末装置（具体的には端末装置ＴＢ）から取得する。
【００２３】
動作特定部１２は、端末装置ＴＡの動作や状態を特定するものであり、傾き特定部１２１と衝突検知部１２２を含む。傾き特定部１２１は、加速度センサ６の出力値から端末装置ＴＡの傾きを特定する。また、傾き特定部１２１は、特定した傾きに応じて基準点の位置を決定する。傾きの基準は特に限定されないが、本実施形態では、表示面が水平である場合に傾きがゼロであるとし、このときの基準点の位置を表示画面の中央部とする。衝突検知部１２２は、加速度センサ６の出力値から端末装置ＴＡが何らかの物体（具体的には端末装置ＴＢ）と衝突したことを検知する。
【００２４】
関連付け部１３は、動作特定部１２から出力される情報に基づいて、端末装置ＴＡと連結表示の対象となる他の端末装置（具体的には端末装置ＴＢ）との関連付けを行う。関連付けの詳細は図２に基づいて後述する。
【００２５】
表示領域決定部１４は、関連付け部１３が関連付けした他の端末装置において設定された基準点の位置と、端末装置ＴＡにおいて設定された基準点の位置とに基づいて、連結表示時の部分画像の全体画像からの切り出し位置（表示領域）を決定する。より詳細には、表示領域決定部１４は、端末装置ＴＡの基準点と、他の端末装置の基準点とが、それら端末装置の隣接方向に一直線上に並ぶように位置合わせしたときに、全体画像がずれることなく連携表示されるように部分画像の切り出し位置を決定する。なお、詳細は後述するが、部分画像の全体画像からの切り出し位置は、連結表示する各端末装置の画面サイズや画面の向き等も考慮して決定される。また、表示領域決定部１４は、連結表示する画像の全体のサイズも決定し、これらの決定内容を連結表示設定情報２１として記憶しておく。そして、表示領域決定部１４は、表示制御部１８に指示して、連結表示設定情報２１に従って画像を表示させる。
【００２６】
情報送信部１５は、通信部３を介した通信により、連結表示の対象となる他の端末装置（具体的には端末装置ＴＢ）が連結表示を行うために必要な情報を当該他の端末装置に送信する。詳細は後述するが、情報送信部１５は、衝突の検知時刻、画面サイズ、衝突時の画面の向き、基準点の位置、および衝突前の移動方向を示す情報等を、連結表示の対象となる他の端末装置に送信する。
【００２７】
操作検出部１６は、端末装置ＴＡに対するユーザ操作を検出するものである。より詳細には、操作検出部１６は、タッチパネル５に対するユーザの接触を検出し、検出した位置を示す座標を出力する。
【００２８】
操作判定部１７は、操作検出部１６の出力値から、ユーザ操作の内容を判定し、判定結果に応じた処理を行う。操作内容とそれに応じた処理は予め定められている。判定するユーザ操作としては、例えば、タッチダウン操作、タッチアップ操作、およびフリック操作等が挙げられる。また、判定結果に応じた処理としては、例えば表示画像の拡大または縮小、および表示画像のスクロール等の画像処理が挙げられる。なお、これら画像処理は、表示制御部１８に実行させる。
【００２９】
表示制御部１８は、表示部４に画像を表示させる制御を行う。例えば、表示制御部１８は、表示領域決定部１４の指示に基づき、連結表示設定情報２１に従って画像を表示させる。また、例えば、表示制御部１８は、操作判定部１７の指示に基づき、ユーザが行った操作に対応する画像処理を表示内容に反映させる。
【００３０】
連結表示設定情報２１は、連結表示の態様を規定する情報であり、連結表示の対象として関連付けられた端末装置の端末識別情報、連結表示する画像のサイズ（全体のサイズ）、および連結表示する画像のうち何れの領域を表示させるかを示す情報等を含む。連結表示する画像の領域を示す上記情報は、部分画像の全体画像からの切り出し位置を示す情報である。この情報は、例えば、関連付けられた各端末装置の位置関係を示す情報であってもよいし、該領域を連結表示する画像上に設定された基準位置からのオフセットを示す情報であってもよい。
【００３１】
連結表示設定情報２１は、連結表示の開始後に更新することも可能である。連結表示設定情報２１が更新されたときには、表示制御部１８は、更新後の連結表示設定情報２１を読み込んで、表示内容を更新する。これにより、関連付けが変更されたり、表示画像に対する画像処理が行われたりしたときにも、それらの結果を表示内容に反映させることができる。
【００３２】
〔処理の流れ〕
端末装置ＴＡが実行する処理（表示装置の制御方法）の流れを図２に基づいて説明する。図２は、連結表示の際に端末装置ＴＡが実行する処理の一例を示すフローチャートである。なお、図示していないが連結表示の相手となる相手装置においても同様の処理が行われる。以下では、図３の例のように、端末装置ＴＡとの連結表示の相手装置が端末装置ＴＢである例を説明する。
【００３３】
ここでは、表示対象の全体画像ＰＩＣはあらかじめ端末装置ＴＡ、ＴＢの記憶部２に記憶されており、連結表示処理開始時に制御部１が記憶部２から全体画像ＰＩＣを読み出しているものとする。尚、全体画像ＰＩＣは端末装置ＴＡ、ＴＢの記憶部２に保存されている画像であってもよく、また通信部３を介して、他の端末装置、外部記憶装置またはインターネット等外部から取得されるものであってもよい。
【００３４】
Ｓ１０１では、関連付け部１３は、関連付けモードに遷移する。関連付けモードに遷移する契機としては、例えばユーザが端末装置ＴＡに対し、連結表示を開始させるための所定の操作を行ったこと等が挙げられる。関連付けの際には端末装置ＴＡとＴＢとの間で通信する必要があるから、関連付けモードに遷移したとき、または関連付けモードに遷移する前に、通信部３を介した通信接続を行っておく。
【００３５】
Ｓ１０２（傾き特定ステップ）では、傾き特定部１２１は、端末装置ＴＡの傾きを特定し、自端末の基準点の位置を、特定した傾きに応じた位置に決定する。また、傾き特定部１２１は、表示制御部１８に指示して、上記決定した位置に基準点を表示させる。また、基準点を通る基準線（図３参照）も表示させてもよい。
【００３６】
Ｓ１０３では、衝突検知部１２２は、加速度センサ６の出力値に基づき、端末装置ＴＡが衝突したか否かを判定する。衝突検知部１２２が衝突を検知した場合（Ｓ１０３でＹＥＳ）、Ｓ１０４に進む。
【００３７】
Ｓ１０４では、情報送信部１５は、衝突の検知時刻、端末装置ＴＡの画面サイズ、衝突時の画面の向き、Ｓ１０２で決定された基準点の位置、および衝突前の移動方向を示す情報を、端末装置ＴＡの端末識別情報と対応付けて端末装置ＴＢに送信する。なお、端末装置ＴＡが携帯電話機等であれば、端末識別情報として例えばIMEI（International Mobile Equipment Identity）を用いてもよい。
【００３８】
Ｓ１０５では、情報取得部１１は、衝突の検知時刻、端末装置ＴＢの画面サイズ、衝突時の画面の向き、端末ＴＢの基準点の位置、および端末ＴＢの衝突前の移動方向を示す情報を、端末装置ＴＢの端末識別情報と共に端末装置ＴＢから受信する。なお、Ｓ１０４とＳ１０５の順序は逆になることもあり、Ｓ１０４とＳ１０５が同時並行で行われることもある。
【００３９】
Ｓ１０６では、隣接関係特定部１３１は、Ｓ１０５で受信した衝突の検知時刻と、自端末における衝突の検知時刻とが一致するか否かを判定する。一致すると判定した場合（Ｓ１０６でＹＥＳ）にはＳ１０７に進み、一致しないと判定した場合（Ｓ１０６でＮＯ）にはＳ１０９に進む。
【００４０】
Ｓ１０７では、関連付け部１３は、衝突前における端末装置ＴＡの移動方向を特定する。また、情報取得部１１は、衝突前における端末装置ＴＢの移動方向を示す情報を端末装置ＴＢから受信し、関連付け部１３は、この情報から端末装置ＴＢの移動方向を特定する。また、図示していないが、情報送信部１５は、端末装置ＴＡの上記移動方向を示す情報を、端末装置ＴＢを含む端末装置ＴＡの周囲にある複数の端末装置へ送信（ブロードキャスト送信）する。
【００４１】
Ｓ１０８では、関連付け部１３は、衝突前における端末装置ＴＡの移動方向と、相手端末である端末装置ＴＢの移動方向が逆方向であるか否かを判定する。逆方向であると判定した場合（Ｓ１０８でＹＥＳ）にはＳ１１０に進む。この場合、関連付け部１３は衝突した端末装置ＴＡとＴＢを、連結表示を行う端末装置として関連付ける。一方、逆方向ではないと判定した場合（Ｓ１０８でＮＯ）には、上記の関連付けを行うことなくＳ１０９に進む。
【００４２】
Ｓ１０９では、情報取得部１１は、次の端末装置から衝突の検知時刻、当該端末装置の画面サイズ、衝突時の画面の向き、当該端末装置の基準点の位置、および当該端末の衝突前の移動方向を示す情報を受信する。この後Ｓ１０６に進む。なお、次の端末装置とは端末装置ＴＡに上記の各情報を送信した、端末装置ＴＢとは異なる端末装置である。次の端末装置が存在しなければＳ１０９の処理は行わず、図示の処理は終了となる。
【００４３】
Ｓ１１０では、表示領域決定部１４は、端末装置ＴＡ、ＴＢの画面サイズ、画面の向き、隣接関係、および基準点の位置から、連結表示する画像である全体画像の画像サイズを決定して、決定した画像サイズを記憶部２に記憶する。また、表示領域決定部１４は、端末装置ＴＡ、ＴＢの画面サイズ、画面の向き、および基準点の位置から、全体画像における端末装置ＴＡの表示領域のオフセットを決定し、決定したオフセットを記憶部２に連結表示設定情報２１として記憶する。なお、このとき、表示制御部１８は、隣接方向の基準線は表示し続け、隣接方向とは異なる方向の基準線の表示は終了してもよい（図３の（ｂ）参照）。
【００４４】
Ｓ１１１（表示制御ステップ）では、表示制御部１８は、連結表示設定情報２１に従って画像を表示する。これにより、端末装置ＴＡの表示部４には、端末装置ＴＡの傾きに応じた全体画像に対する端末装置ＴＡのオフセットと、端末装置ＴＡの画面サイズに従って端末装置ＴＡに割り当てられた表示領域内の部分画像が表示される。具体的には、表示制御部１８は、表示する全体画像の画像サイズを連結表示設定情報２１が示すサイズに変更する。そして、サイズ変更後の全体画像のうち、端末装置ＴＡの画面サイズに応じた表示領域を、連結表示設定情報２１が示すオフセットに従ってずらし、ずらした領域の画像を表示部４に表示させる。なお、全体画像の画像サイズを変更する代わりに、全体画像から連結表示設定情報２１が示すサイズに相当する領域を切り出してもよい。
【００４５】
例えば図３の例では、端末装置ＴＡ、ＴＢの画面の向きが何れも縦であり、端末装置ＴＡ、ＴＢが左右に隣接している。よって、この例では、Ｓ１１０では、表示領域決定部１４は、端末装置ＴＡ、ＴＢの画面の幅の和（ｗ１＋ｗ２）を全体画像の幅として算出する。また、この例では、基準点の位置が何れも表示画面の中央部であるから、表示領域決定部１４は、端末装置ＴＡ、ＴＢの画面の高さのうち、高い方（ｈ２）を全体画像の高さとする。
【００４６】
表示領域決定部１４は、例えば全体画像の左上端を原点、幅方向をｘ、高さ方向をｙとした座標系を設定し、この座標系における表示領域の左上端の座標によって、表示領域を表してもよい。例えば、図３の例では、端末装置ＴＡ、ＴＢの基準点がそれぞれ表示画面の中央部に位置している。これらの基準点が端末装置ＴＡ、ＴＢの隣接方向に一直線上に並ぶように端末装置ＴＡ、ＴＢを配置したときに、全体画像がずれることなく連結表示されるように全体画像から切り出す部分画像の切り出し位置（表示領域）を決定する。この場合、端末装置ＴＡの表示領域の左上座標、言い換えれば全体画像における端末装置ＴＡの表示領域のオフセットは、（０，（ｈ２−ｈ１）／２）となる。また、端末装置ＴＢの表示領域の左上座標、言い換えれば全体画像における端末装置ＴＢの表示領域のオフセットは、（ｗ１，０）となる。表示領域決定部１４は、このように、全体画像からのオフセットによって端末装置ＴＡ、ＴＢの各々について表示領域を表すことができる。無論、表示対象の領域を示す情報をどのようなものとするかは任意であり、本例に限られない。
【００４７】
〔連結表示の例１〕
基準点を表示画面の上端に位置させて連結表示を行った例を図４に基づいて説明する。図４は、基準点を表示画面の上端に位置させて連結表示を行った例を説明する図である。同図の（ｈ）に示すように、端末装置ＴＡの画面サイズは、画面を縦向き（長手方向が画面の上下方向となる向き）として、幅ｗ１、高さｈ１とする。また、同図の（ｉ）に示すように、端末装置ＴＢの画面サイズは、画面を縦向きとして、幅ｗ２、高さｈ２とする。
【００４８】
図４の（ａ）（ｂ）に示すように、画面上部が画面下部よりも下方に位置するように端末装置ＴＡを傾けることにより、基準点ＰＡを画面中央よりも上側に移動させることができる。基準点ＰＡは、傾き角度が大きいほどより上側に移動させてもよい。図４の例では、基準点ＰＡは、表示画面の上端に位置している。これに伴い、基準線ＬＷＡも表示画面の上端付近に表示されている。端末装置ＴＡと同様の傾きで保持されている端末装置ＴＢにおいても、端末装置ＴＡと同様に、表示画面の上端には基準点ＰＢが表示されており、その付近には基準線ＬＷＢが表示されている。
【００４９】
基準点ＰＡ、ＰＢが上述のような位置となっている状態で、図４の（ｃ）に示すように、端末装置ＴＡとＴＢとを軽く衝突させて連結表示した場合、同図の（ｄ）の全体画像ＰＩＣは、同図の（ｅ）のような態様で端末装置ＴＡとＴＢに表示される。
【００５０】
この例では、端末装置ＴＡ、ＴＢの画面の向きが何れも縦であり、端末装置ＴＡ、ＴＢが左右に隣接している。よって、この例では、図２のＳ１１０では、端末装置ＴＡ、ＴＢの画面の幅の和（ｗ１＋ｗ２）が全体画像の幅として算出される。また、この例では、基準点の位置が何れも表示画面の上端部であるから、端末装置ＴＡ、ＴＢの画面の高さのうち、高い方（ｈ２）が全体画像の高さとされる（同図の（ｆ）参照）。そして、端末装置ＴＡの表示領域の左上端座標は（０，０）、端末装置ＴＢの表示領域の左上端座標は（ｗ１，０）となる。なお、全体画像のサイズおよび端末装置ＴＡ、ＴＢの表示領域の左上端座標の算出方法の詳細については、図１２および図１３に基づいて後述する。
【００５１】
〔連結表示の例２〕
基準点を表示画面の下端に位置させて連結表示を行った例を図５に基づいて説明する。図５は、基準点を表示画面の下端に位置させて連結表示を行った例を説明する図である。端末装置ＴＡの画面サイズは、幅ｗ１、高さｈ１であり、端末装置ＴＢの画面サイズは、幅ｗ２、高さｈ２である。
【００５２】
図５の（ａ）（ｂ）に示すように、画面下部が画面上部よりも下方に位置するように端末装置ＴＡを傾けることにより、基準点ＰＡを画面中央よりも下側に移動させることができる。基準点ＰＡは、傾き角度が大きいほどより下側に移動させてもよい。図５の例では、基準点ＰＡは、表示画面の下端に位置している。これに伴い、基準線ＬＷＡも表示画面の下端付近に表示されている。端末装置ＴＡと同様の傾きで保持されている端末装置ＴＢにおいても、端末装置ＴＡと同様に、表示画面の下端には基準点ＰＢが表示されており、その付近には基準線ＬＷＢが表示されている。
【００５３】
基準点ＰＡ、ＰＢが上述のような位置となっている状態で、図４の（ａ）に示すように、端末装置ＴＡとＴＢとを軽く衝突させて連結表示した場合、全体画像は、同図の（ｃ）のような態様で端末装置ＴＡとＴＢに表示される。
【００５４】
この例では、端末装置ＴＡ、ＴＢの画面の向きが何れも縦であり、端末装置ＴＡ、ＴＢが左右に隣接している。よって、この例では、図２のＳ１１０では、端末装置ＴＡ、ＴＢの画面の幅の和（ｗ１＋ｗ２）が全体画像の幅として算出される。また、この例では、基準点の位置が何れも表示画面の下端部であるから、端末装置ＴＡ、ＴＢの画面の高さのうち、高い方（ｈ２）が全体画像の高さとされる（同図の（ｄ）参照）。そして、端末装置ＴＡの表示領域の左上端座標は（０，ｈ２−ｈ１）、端末装置ＴＢの表示領域の左上端座標は（ｗ１，０）となる。
【００５５】
〔連結表示の例３〕
連結表示の際の基準点の位置は任意である。例えば、端末装置ＴＡの基準点ＴＡの位置と、端末装置ＴＢの基準点ＴＢの位置とが異なっていてもよい。これについて図６に基づいて説明する。図６は、端末装置ＴＡの基準点を表示画面の下端に位置させ、端末装置ＴＢの基準点を表示画面中央よりも上端寄りに位置させて連結表示を行った例を説明する図である。同図の（ｈ）（ｉ）に示すように、端末装置ＴＡの画面サイズは、幅ｗ１、高さｈ１であり、端末装置ＴＢの画面サイズは、幅ｗ２、高さｈ２である。
【００５６】
図６の（ａ）（ｂ）に示すように画面下部が画面上部よりも下方に位置するように端末装置ＴＡを傾けることにより、基準点ＰＡを画面中央よりも下側に移動させることができる。図６の（ａ）の例では、基準点ＰＡは、表示画面の下端に位置している。これに伴い、基準線ＬＷＡも表示画面の下端付近に表示されている。一方、端末装置ＴＢは画面上部が画面下部よりも下方に位置するように傾けられており、基準点ＰＢは、表示画面の画面中央と上端との中間に位置している。これに伴い、基準線ＬＷＢも表示画面の画面中央と上端との中間付近に表示されている。
【００５７】
基準点ＰＡ、ＰＢが上述のような位置となっている状態で、図６の（ｃ）に示すように、端末装置ＴＡとＴＢとを軽く衝突させて連結表示した場合、同図の（ｄ）の全体画像ＰＩＣは、同図の（ｅ）のような態様で端末装置ＴＡとＴＢに表示される。
【００５８】
この例では、端末装置ＴＡ、ＴＢの画面の向きが何れも縦であり、端末装置ＴＡ、ＴＢが左右に隣接している。よって、この例では、図２のＳ１１０では、端末装置ＴＡ、ＴＢの画面の幅の和（ｗ１＋ｗ２）が全体画像の幅として算出される。なお、本例における全体画像の高さおよび端末装置ＴＡ、ＴＢの表示領域の左上端座の算出方法については、図１２に基づいて後述する。
【００５９】
〔連結表示の例４〕
図３の例では、端末装置ＴＡと端末装置ＴＢとを左右に隣接させ、端末装置ＴＡおよびＴＢの長辺同士を衝突させて各端末装置を関連付ける例を示した。ここでは、端末装置ＴＡと端末装置ＴＢとを上下に隣接させ、端末装置ＴＡおよびＴＢの短辺同士を衝突させて関連付ける例を説明する。図７は、端末装置ＴＡと端末装置ＴＢとを上下に隣接させ、端末装置ＴＡおよびＴＢの短辺同士を衝突させて連結表示を行った例を説明する図である。
【００６０】
関連付けの態様は上述の各例と同様であり、図７の（ａ）に示すように端末装置ＴＡと端末装置ＴＢとを上下に隣接させ、同図の（ｂ）に示すように、端末装置ＴＡとＴＢとを軽く衝突させる。本例では、端末装置ＴＡとＴＢとを上下に隣接させて衝突させたため、左右に隣接させた連結表示の位置合わせに用いる基準線ＬＷＡ、ＬＷＢは衝突後に表示を終了している。
【００６１】
全体画像ＰＩＣの何れの部分を表示領域ＦＡ、ＦＢとするかは、基準点ＰＡ、ＰＢの位置、端末装置ＴＡ、ＴＢの画面サイズ、および端末装置ＴＡ、ＴＢの隣接関係から決定される。これについて、図７の（ｃ）〜（ｆ）に基づいて説明する。図７の（ｅ）（ｆ）に示すように、ここでは端末装置ＴＡの画面サイズが高さｈ１、幅ｗ１であり、端末装置ＴＢの画面サイズが高さｈ２、幅ｗ２であるとする（ｈ１＜ｈ２、ｗ１＜ｗ２）。
【００６２】
本例では、図７の（ｂ）に示すように、端末装置ＴＡとＴＢとが上下に隣接しており、端末装置ＴＡが向かって上側、端末装置ＴＢが向かって下側となっている。また、基準点ＰＡ、ＰＢは何れも表示画面の中央部である。
【００６３】
この場合、全体画像の高さは、端末装置ＴＡとＴＢの画面の高さの和（ｈ１＋ｈ２）とする。また、全体画像の幅は、幅が大きい側の端末装置ＴＢの幅Ｗ２に一致させる。そして、基準点ＰＡ、ＰＢが上下方向の一直線上に並ぶとき（基準線ＬＨＡの延長線上に基準線ＬＨＢが来るとき）に、表示領域ＦＡ、ＦＢがずれることなく１つの画像として認識されるように、表示領域ＦＡ、ＦＢの範囲を決定する。
【００６４】
次に、基準点を表示画面の左端に位置させて連結表示を行った例を図７の（ｇ）〜（ｉ）に基づいて説明する。図７の（ｇ）（ｈ）に示すように、画面左端が画面右端よりも下方に位置するように端末装置ＴＡを傾けることにより、基準点ＰＡを画面中央よりも左側に移動させることができる。基準点ＰＡは、傾き角度が大きいほどより左側に移動させてもよい。図７の（ｇ）に示す例では、基準点ＰＡは、表示画面の左端に位置している。これに伴い、基準線ＬＨＡも表示画面の左端付近に表示されている。端末装置ＴＡと同様の傾きで保持されている端末装置ＴＢにおいても、端末装置ＴＡと同様に、表示画面の左端には基準点ＰＢが表示されており、その付近には基準線ＬＨＢが表示されている。
【００６５】
基準点ＰＡ、ＰＢが上述のような位置となっている状態で、端末装置ＴＡとＴＢとを軽く衝突させて連結表示した場合、全体画像ＰＩＣは、同図の（ｉ）のような態様で端末装置ＴＡとＴＢに表示される。
【００６６】
この例では、端末装置ＴＡ、ＴＢの画面の向きが何れも縦であり、端末装置ＴＡ、ＴＢが上下に隣接している。よって、この例では、図２のＳ１１０では、端末装置ＴＡ、ＴＢの画面の高さの和（ｈ１＋ｈ２）が全体画像の高さとして算出される。また、この例では、基準点の位置が何れも表示画面の左端部であるから、端末装置ＴＡ、ＴＢの画面の幅のうち、広い方（ｗ２）が全体画像の幅とされる。そして、端末装置ＴＡの表示領域ＦＡの左上端座標は（０，０）、端末装置ＴＢの表示領域ＦＢの左上端座標は（０，ｈ１）となる。
【００６７】
次に、端末装置ＴＡの基準点ＰＡを表示画面の右端に位置させ、端末装置ＴＢの基準点ＰＢを表示画面の左端に位置させて連結表示を行った例を図７の（ｊ）〜（ｌ）に基づいて説明する。図７の（ｊ）〜（ｌ）は、端末装置ＴＡの基準点を表示画面の右端に位置させ、端末装置ＴＢの基準点を表示画面の左端に位置させて連結表示を行った例を示している。
【００６８】
図７の（ｊ）（ｋ）に示すように、画面右端が画面左端よりも下方に位置するように端末装置ＴＡを傾けることにより、基準点ＰＡを画面中央よりも右側に移動させることができる。図７の（ｊ）に示す例では、基準点ＰＡは、表示画面の右端に位置している。これに伴い、基準線ＬＨＡも表示画面の右端付近に表示されている。
【００６９】
また、画面左端が画面右端よりも下方に位置するように端末装置ＴＢを傾けることにより、基準点ＰＢを画面中央よりも左側に移動させることができる。図７の（ｊ）に示す例では、基準点ＰＢは、表示画面の左端に位置している。これに伴い、基準線ＬＨＢも表示画面の左端付近に表示されている。
【００７０】
基準点ＰＡ、ＰＢが上述のような位置となっている状態で、端末装置ＴＡとＴＢとを軽く衝突させて連結表示した場合、全体画像ＰＩＣは、同図の（ｌ）のような態様で端末装置ＴＡとＴＢに表示される。
【００７１】
この例では、端末装置ＴＡ、ＴＢの画面の向きが何れも縦であり、端末装置ＴＡ、ＴＢが上下方向に隣接している。よって、この例では、図２のＳ１１０では、端末装置ＴＡ、ＴＢの画面の高さの和（ｈ１＋ｈ２）が全体画像の高さとして算出される。また、この例では、基準点の位置が表示画面の右端部および左端部であるから、端末装置ＴＡ、ＴＢの画面の幅の和（ｗ１＋ｗ２）が全体画像の幅とされる。そして、端末装置ＴＡの表示領域ＦＡの左上端座標は（０，０）、端末装置ＴＢの表示領域ＦＢの左上端座標は（ｗ１，ｈ１）となる。
【００７２】
〔連結表示の例５〕
図７の（ａ）（ｂ）の例では、端末装置ＴＡと端末装置ＴＢとを上下に隣接させ、端末装置ＴＡおよびＴＢの短辺同士を衝突させて各端末装置の関連付けを行った。本例では、端末装置ＴＡと端末装置ＴＢとを上下に隣接させる点は同じであるが、端末装置ＴＡの短辺と端末装置ＴＢの長辺とを衝突させて各端末装置の関連付けを行っている点で異なっている。すなわち、本例では、長辺が上下方向に沿っている端末装置と、長辺が左右方向に沿っている端末装置とを混在させている点で上述した例と異なっている。図８は、端末装置ＴＡの短辺と端末装置ＴＢの長辺とを衝突させて連結表示を行った例を説明する図である。同図の（ｃ）（ｄ）に示すように、端末装置ＴＡの画面サイズは、幅ｗ１、高さｈ１であり、端末装置ＴＢの画面サイズは、幅ｗ２、高さｈ２である。
【００７３】
図８（ａ）に示すように端末装置ＴＡと端末装置ＴＢとを上下に隣接させ、端末装置ＴＡの短辺と、端末装置ＴＢの長辺とを軽く衝突させることによって連結表示を開始させる。本例では、基準点ＰＡ、ＰＢは何れも表示画面の中央部である。ここで、端末装置ＴＢの幅ｗ２’は、ｈ２に等しく、端末装置ＴＢの高さｈ２’は、ｗ２に等しくなる。よって、全体画像ＰＩＣの高さは、ｈ１＋ｈ２’＝（ｈ１＋ｗ２）となる。また、全体画像ＰＩＣの幅は、端末装置ＴＢの幅ｗ２’＝ｈ２に一致させる。
【００７４】
そして、基準点ＰＡ、ＰＢが上下方向の一直線上に並ぶとき（基準線ＬＨＡの延長線上に基準線ＬＷＢが来るとき）に、表示領域ＦＡ、ＦＢがずれることなく１つの画像として認識されるように、表示領域ＦＡ、ＦＢの範囲を決定する。
【００７５】
〔３台の連結表示の例１〕
端末装置ＴＡとＴＢを関連付けた上で、さらに他の端末装置を関連付けることにより、３台の端末装置による連結表示を行うことも可能である。これについて、図９に基づいて説明する。図９は、３台の端末装置で連結表示を行う例を説明する図である。同図の（ｄ）に示すように、端末装置ＴＡの画面サイズは、幅ｗ１、高さｈ１であり、端末装置ＴＢの画面サイズは、幅ｗ２、高さｈ２である。また、３台目の端末装置ＴＣの画面サイズは、幅ｗ３、高さｈ３であり、ここではｗ３＝ｗ１、ｈ３＝ｈ１と仮定する。端末装置ＴＣの構成は、図１に示した端末装置ＴＡの構成と同様である。
【００７６】
図９の例では、同図の（ａ）に示すように、縦向きの表示画面の左端に基準点ＰＡが表示された端末装置ＴＡと、横向きの表示画面の左端に基準点ＰＢが表示された端末装置ＴＢとを軽くぶつけてこれらの端末装置を関連付けしている。この関連付けにより、同図の（ｂ）に示すように、全体画像の幅はｈ２、高さはｈ１＋ｗ２となる。より具体的には、端末装置ＴＢの幅Ｗ２’は、ｈ２に等しく、端末装置ＴＢの高さｈ２’は、ｗ２に等しくなる。このため、全体画像ＰＩＣの高さは、ｈ１＋ｈ２’＝ｈ１＋ｗ２となる。
【００７７】
次に、同図の（ｃ）に示すように、縦向きの表示画面の中央に基準点ＰＡが表示された端末装置ＴＡと、同じく縦向きの表示画面の中央に基準点ＰＣが表示された端末装置ＴＣとを軽くぶつけてこれらの端末装置を関連付けしている。
【００７８】
端末装置ＴＡとＴＢが関連付けられている状態で、さらに端末装置ＴＣが関連付けられたことにより、全体画像のサイズが更新される。図９の例では、同図の（ｅ）（ｆ）に示すように、全体画像の高さをｈ１＋ｗ２とし、幅をｍａｘ（ｗ１＋ｗ３，ｗ２）とする。
【００７９】
端末装置ＴＡ〜ＴＣの表示領域ＦＡ〜ＦＣは、表示領域ＦＡとＦＣとが左右に隣り合い、それらの下方に表示領域ＦＢが位置するという位置関係となっている。よって、表示領域ＦＡの左上端座標は（０，０）、表示領域ＦＢの左上端座標は（ｗ１，０）、表示領域ＦＣの左上端座標は（０，ｈ１）とする。
【００８０】
〔３台の連結表示の例２〕
３台以上の端末装置で連結表示する場合、各端末装置の表示領域に重畳部分が生じないようにすることが好ましい。このため、２台の端末装置の関連付けがなされたとき、表示制御部１８は、連結表示される画像のうち関連付けが済んでいる端末装置が表示する領域を示す領域割当情報を表示させることが好ましい。これにより、３台目の端末装置の表示領域を、上記領域割当情報が示す領域を避けて設定することが容易になる。
【００８１】
これについて図１０に基づいて説明する。図１０は、３台の端末装置で連結表示を行う他の例を説明する図である。同図の（ｈ）に示すように、端末装置ＴＡの画面サイズは幅ｗ１、高さｈ１、端末装置ＴＢの画面サイズは幅ｗ２、高さｈ２、端末装置ＴＣの画面サイズは幅ｗ３、高さｈ３である。また、ｈ１＋ｈ３＞ｈ２、ｗ１＝ｗ３と仮定する。
【００８２】
図１０の（ａ）に示すように、ここでは端末装置ＴＡとＴＢが関連付けされており、この時点で端末装置ＴＡに表示する表示領域ＦＡは、端末装置ＴＢに表示する表示領域ＦＢよりも左上に位置している。
【００８３】
この状態で、同図の（ｂ）に示すように、端末装置ＴＢの左側から端末装置ＴＣを軽くぶつけて関連付けする場合、端末装置ＴＣの表示領域ＦＣが、表示領域ＦＡと重畳しないようにすることが好ましい。そこで、図１０の例では、同図の（ｂ）に示すように、端末装置ＴＢにおいて、基準点ＰＢを表示する範囲を、予め行った端末装置ＴＡとの関連付けで既に割り当てられた分を除いた部分としている。このため、基準点ＰＢを表示する範囲は、全体画像ＰＩＣにおける表示領域ＦＡの下端よりも下側の範囲となっている。そして、それよりも上側の領域ＶＦには基準点ＰＢを表示させないようにしている。この領域ＶＦにおいては、他の端末装置（この例では端末装置ＴＡ）との関連付けがなされていることが分かるように、他の領域とは異なる態様で画像を表示してもよい。例えば、領域ＶＦの表示色を他の領域と変えてもよい。また、他の端末装置との関連付けがなされている領域が存在する場合、例えば基準点や基準線の形状や色などを他の端末装置との関連付けがなされている領域が存在しない場合と異ならせてもよい。これにより、他の端末装置との関連付けがなされている領域が存在することをユーザに認識させることができる。
【００８４】
上記のような表示を行うことにより、端末装置ＴＣのユーザは、端末装置ＴＣの表示画面が領域ＶＦにかからないように基準点ＰＢおよびＰＣの位置を調整し、端末ＴＣとＴＢを関連付けることができる。この例では、領域ＶＦを示す表示は、端末装置ＴＡが表示する領域を示す情報であるから領域割当情報である。また、領域ＶＦより下方の領域を示す表示、すなわち領域ＶＦより下方にのみ表示した基準線および基準点も、間接的に端末装置ＴＡが表示する領域を示す情報であるから領域割当情報である。
【００８５】
図１０の例では、同図の（ｂ）に示すように、基準点ＰＣを表示画面の上端とし、基準点ＰＢを基準点ＰＢの表示領域の上端（基準点ＰＢの表示領域のうち領域ＶＦとの境界付近）として関連付けしている。これにより、同図の（ｃ）に示すように、表示領域ＦＡとＦＣが重畳しないようにすることができ、かつ表示領域ＦＡとＦＣとの間の隙間を小さくすることができる。
【００８６】
関連付け後の連結表示は図９の例と同様である。すなわち、図１０の（ｄ）の全体画像ＰＩＣを連結表示する場合、端末装置ＴＡ〜ＴＣの配置に従い、表示する全体画像ＰＩＣの幅は｛ｍａｘ（ｗ１，ｗ３）＋ｗ２｝、高さはｍａｘ｛（ｈ１＋ｈ３），ｈ２｝とする。本例では、ｈ１＋ｈ３＞ｈ２、ｗ１＝ｗ３であるから、同図の（ｇ）に示すように、全体画像の幅は（ｗ１＋ｗ２）、高さは（ｈ１＋ｈ３）となる。また、表示領域ＦＡの左上端座標は（０，０）、表示領域ＦＣの左上端座標は（０，ｈ１）とする。表示領域ＦＢの左上端座標は後述の図１２に示す方法で算出する。
【００８７】
〔３台の連結表示の例３〕
上述の基準点および基準線は、端末装置の関連付け後も表示させておいてもよい。これにより、連結表示の開始時に端末装置の配置を調整するユーザの作業が容易になる。これについて図１１に基づいて説明する。図１１は、３台の端末装置で連結表示を行うさらに他の例を説明する図である。
【００８８】
図１１の例では、図１０の例と同様に、端末装置ＴＡとＴＢを関連付けた（同図の（ａ））後、端末装置ＴＢに対して端末装置ＴＣを関連付け（同図の（ｂ））している。同図の（ｃ）に示すように、端末装置ＴＡとＴＢの関連付けの際に表示していた基準線ＬＷＡ、ＬＷＢは、端末装置ＴＢとＴＣの関連付けの際には一旦表示を終了しているが、端末装置ＴＢとＴＣの関連付けの終了後に再度表示させている。また、端末装置ＴＢとＴＣの関連付けの際に表示させた基準線ＬＷＢ、ＬＷＣは、関連付け後も表示させている。なお、同図の（ｃ）では端末装置ＴＢに表示する基準線のうち、端末ＴＡとの位置合わせに用いる基準線をＬＷＢ１、端末ＴＣとの位置合わせに用いる基準線をＬＷＢ２として示している。
【００８９】
これにより、ユーザは、基準線ＬＷＡとＬＷＢ１が一直線に並ぶように端末装置ＴＡとＴＢを配置することができる。同様に、基準線ＬＷＣとＬＷＢ２が一直線に並ぶように端末装置ＴＢとＴＣを配置することができる。そして、これにより、同図の（ｃ）に示すように、全体画像が端末装置間でずれることなく視認できる適切な端末装置ＴＡ〜ＴＣの配置を実現することができる。なお、図１１の例では基準線を表示しているが、基準点を表示してもよいことはもちろんである。
【００９０】
基準線や基準点は、ユーザが端末装置ＴＡ〜ＴＣの位置合わせをしている期間には表示させておくことが好ましいが、位置合わせが終了したときには、全体画像の閲覧の邪魔にならないように、表示を終了することが好ましい。つまり、表示制御部１８は、連結表示の開始後、所定の条件が充足されるまで基準点および基準線の少なくとも何れかを表示させ続け、該所定の条件が充足されたときに表示を終了することが好ましい。上記所定の条件としては、例えば、ユーザが手に持っている端末装置を机などの上に置いたことや、端末装置が静止状態にあることが検出された後、所定時間が経過したこと等が挙げられる。ユーザが端末装置を手に持っているか否かの判定や、端末装置が静止状態にあることの検出は、例えば加速度センサ６の出力値に基づいて行うことができる。
【００９１】
〔基準点の位置に応じた全体画像と表示領域の設定（横配置）〕
全体画像と表示領域の設定方法の一例を図１２に基づいて説明する。図１２は、左右に隣接した端末装置ＴＡ、ＴＢ間で連結表示する場合の全体画像と表示領域の設定方法の一例を示す図である。
【００９２】
図１２の例では、端末装置ＴＡ、ＴＢの基準点の高さの大小関係と、端末装置ＴＡ、ＴＢの表示画面の高さの大小関係とに応じて全体画像ＰＩＣと表示領域ＦＡ、ＦＢを設定している。なお、端末装置ＴＡの基準点の高さとは、端末装置ＴＡの基準点から端末装置ＴＡの表示画面の上端までの距離を指す。同様に、端末装置ＴＢの基準点の高さとは、端末装置ＴＢの基準点から端末装置ＴＢの表示画面の上端までの距離を指す。図１２の（ａ）（ｂ）に示すように、ここでは、端末装置ＴＡの基準点の高さをｙｓ１、端末装置ＴＢの基準点の高さをｙｓ２とする。
【００９３】
〔ｈ１＜ｈ２かつｙｓ１＞ｙｓ２の場合〕
図１２では、ｈ１＜ｈ２の例を示している。この場合、ｙｓ１＞ｙｓ２であれば、端末装置ＴＡの左上端座標（ｘ１，ｙ１）を（０，０）に設定し、端末装置ＴＢの左上端座標（ｘ２，ｙ２）を（ｗ１，ａｂｓ（ｙｓ１−ｙｓ２））に設定する。また、全体画像ＰＩＣの幅および高さ（ｗ，ｈ）を（ｗ１＋ｗ２，ｍａｘ（ｈ１，ｈ２）＋ａｂｓ（ｙｓ１−ｙｓ２））に設定する。
【００９４】
上記設定の妥当性について以下説明する。ｈ１＜ｈ２かつｙｓ１＞ｙｓ２の場合に、端末装置ＴＡ、ＴＢの基準点が表示画面の幅方向に一直線に並ぶように端末装置ＴＡとＴＢを位置合わせすると、図１２の（ｃ）のような配置となる。
【００９５】
よって、この場合、全体画像ＰＩＣについて、上端が表示領域ＦＡの上端と一致し、下端が表示領域ＦＢの下端と一致するサイズとすることにより、表示領域ＦＡとＦＢに全体画像ＰＩＣの上端から下端までを表示することができる。つまり、この場合には、全体画像ＰＩＣの高さｈは、上述のように、ｍａｘ（ｈ１，ｈ２）＋ａｂｓ（ｙｓ１−ｙｓ２）とすることが妥当である。なお、ｈ１＜ｈ２かつｙｓ１＞ｙｓ２であるから、同図の（ｄ）に示すように、高さｈは（ｈ２＋ｙｓ１−ｙｓ２）となる。
【００９６】
また、この場合、全体画像ＰＩＣの左上端と表示領域ＦＡの左上端を一致させると共に、全体画像ＰＩＣの右下端と、表示領域ＦＢの右下端を一致させることにより、表示領域ＦＡとＦＢに全体画像ＰＩＣの左上端から右下端までを表示することができる。つまり、この場合には、全体画像ＰＩＣの幅ｗは、上述のように（ｗ１＋ｗ２）と設定することが妥当である。また、表示領域ＦＡの左上端座標（ｘ１，ｙ１）は、同図の（ｅ）に示すように、（０，０）と設定することが妥当である。そして、表示領域ＦＢの左上端座標（ｘ２，ｙ２）は、同図の（ｆ）に示すように、（ｗ１，ｙｓ１−ｙｓ２）と設定することが妥当である。
【００９７】
〔ｈ１＜ｈ２かつｙｓ１＝ｙｓ２の場合〕
ｈ１＜ｈ２かつｙｓ１＝ｙｓ２であれば、端末装置ＴＡの左上端座標（ｘ１，ｙ１）を（０，０）に設定し、端末装置ＴＢの左上端座標（ｘ２，ｙ２）を（ｗ１，０）に設定する。また、全体画像ＰＩＣの幅および高さ（ｗ，ｈ）を（ｗ１＋ｗ２，ｍａｘ（ｈ１，ｈ２））に設定する。
【００９８】
上記設定の妥当性について以下説明する。ｈ１＜ｈ２かつｙｓ１＝ｙｓ２の場合に、端末装置ＴＡ、ＴＢの基準点が表示画面の幅方向に一直線に並ぶように端末装置ＴＡとＴＢを位置合わせすると、図１２の（ｋ）のような配置となる。よって、この場合、全体画像ＰＩＣについて、上端が表示領域ＦＡおよびＦＢの上端と一致し、下端が表示領域ＦＢの下端と一致するサイズとすることにより、表示領域ＦＡとＦＢに全体画像ＰＩＣの上端から下端までを表示することができる。つまり、この場合には、全体画像ＰＩＣの高さｈは、同図の（ｌ）に示すように、ｍａｘ（ｈ１，ｈ２）とすることが妥当である。なお、ｈ１＜ｈ２であるから、高さｈはｈ２に等しくなる。
【００９９】
また、この場合、全体画像ＰＩＣの左上端と表示領域ＦＡの左上端を一致させると共に、全体画像ＰＩＣの右下端と、表示領域ＦＢの右下端を一致させることにより、表示領域ＦＡとＦＢに全体画像ＰＩＣの左上端から右下端までを表示することができる。つまり、この場合には、全体画像ＰＩＣの幅ｗは、上述のように（ｗ１＋ｗ２）と設定することが妥当である。また、表示領域ＦＡの左上端座標（ｘ１，ｙ１）は、同図の（ｍ）に示すように、（０，０）と設定することが妥当である。そして、表示領域ＦＢの左上端座標（ｘ２，ｙ２）は、同図の（ｎ）に示すように、（ｗ１，０）と設定することが妥当である。
【０１００】
〔ｈ１＜ｈ２かつｙｓ１＜ｙｓ２の場合〕
ｈ１＜ｈ２かつｙｓ１＜ｙｓ２であれば、端末装置ＴＡの左上端座標（ｘ１，ｙ１）を（０，ａｂｓ（ｙｓ１−ｙｓ２））に設定し、端末装置ＴＢの左上端座標（ｘ２，ｙ２）を（ｗ１，０）に設定する。また、全体画像ＰＩＣの幅および高さ（ｗ，ｈ）を（ｗ１＋ｗ２，ｍｉｎ（ｈ１，ｈ２）＋ａｂｓ（ｙｓ１−ｙｓ２））に設定する。
【０１０１】
上記設定の妥当性について以下説明する。ｈ１＜ｈ２かつｙｓ１＜ｙｓ２の場合に、端末装置ＴＡ、ＴＢの基準点が表示画面の幅方向に一直線に並ぶように端末装置ＴＡとＴＢを位置合わせすると、図１２の（ｇ）のような配置となる。よって、この場合、全体画像ＰＩＣについて、上端が表示領域ＦＢの上端と一致し、下端が表示領域ＦＡの下端と一致するサイズとすることにより、表示領域ＦＡとＦＢに全体画像ＰＩＣの上端から下端までを表示することができる。つまり、この場合には、全体画像ＰＩＣの高さｈは、同図の（ｈ）に示すように、ｍｉｎ（ｈ１，ｈ２）＋ａｂｓ（ｙｓ１−ｙｓ２）とすることが妥当である。なお、ｈ１＜ｈ２かつｙｓ１＜ｙｓ２であるから、高さｈは（ｈ１＋ｙｓ２−ｙｓ１）となる。
【０１０２】
また、この場合、全体画像ＰＩＣの左下端と表示領域ＦＡの左下端を一致させると共に、全体画像ＰＩＣの右上端と、表示領域ＦＢの右上端を一致させることにより、表示領域ＦＡとＦＢに全体画像ＰＩＣの左下端から右上端までを表示することができる。つまり、この場合には、全体画像ＰＩＣの幅ｗは、上述のように（ｗ１＋ｗ２）と設定することが妥当である。また、表示領域ＦＡの左上端座標（ｘ１，ｙ１）は、同図の（ｉ）に示すように、（０，ｙｓ２−ｙｓ１）と設定することが妥当である。そして、表示領域ＦＢの左上端座標（ｘ２，ｙ２）は、同図の（ｊ）に示すように、（ｗ１，０）と設定することが妥当である。
【０１０３】
なお、図３の例のように、表示領域ＦＡの上端が表示領域ＦＢの上端よりも下方であり、かつ表示領域ＦＡの下端が表示領域ＦＢの下端よりも上方である配置もあり得る。このような場合には、全体画像ＰＩＣの高さｈをｈ２と設定してもよい。
【０１０４】
〔ｈ１≧ｈ２の場合〕
ｈ１≧ｈ２の場合には、全体画像ＰＩＣの幅および高さ（ｗ，ｈ）を、上述の設定におけるｍａｘ（ｈ１，ｈ２）をｍｉｎ（ｈ１，ｈ２）に置換した式で設定可能である。例えば、ｙｓ１＞ｙｓ２であれば、全体画像ＰＩＣの幅および高さ（ｗ，ｈ）は、（ｗ１＋ｗ２，ｍｉｎ（ｈ１，ｈ２）＋ａｂｓ（ｙｓ１−ｙｓ２））に設定する。そして、この場合にｙｓ１≦ｙｓ２であれば、（ｗ，ｈ）を（ｗ１＋ｗ２，ｍａｘ（ｈ１，ｈ２）＋ａｂｓ（ｙｓ１−ｙｓ２））に設定する。
【０１０５】
〔基準点の位置に応じた全体画像と表示領域の設定（縦配置）〕
全体画像と表示領域の設定方法の一例を図１３に基づいて説明する。図１３は、上下に隣接した端末装置ＴＡ、ＴＢ間で連結表示する場合の全体画像と表示領域の設定方法の一例を示す図である。
【０１０６】
図１３の例では、端末装置ＴＡ、ＴＢの基準点の幅方向における位置関係と、端末装置ＴＡ、ＴＢの表示画面の幅の大小関係とに応じて全体画像ＰＩＣと表示領域ＦＡ、ＦＢを設定している。なお、端末装置ＴＡの基準点の幅方向における位置とは、端末装置ＴＡの表示画面の左端から端末装置ＴＡの基準点（縦の基準線）までの距離を指す。同様に、端末装置ＴＢの基準点の幅方向における位置とは、端末装置ＴＢの表示画面の左端から端末装置ＴＢの基準点（縦の基準線）までの距離を指す。図１２の（ａ）（ｂ）に示すように、ここでは、端末装置ＴＡの縦の基準線の幅方向の位置をｘｓ１、端末装置ＴＢの縦の基準線の幅方向の位置をｘｓ２とする。
【０１０７】
〔ｗ１＜ｗ２かつｘｓ１＞ｘｓ２の場合〕
図１３では、ｗ１＜ｗ２の例を示している。この場合、ｘｓ１＞ｘｓ２であれば、端末装置ＴＡの左上端座標（ｘ１，ｙ１）を（０，０）に設定し、端末装置ＴＢの左上端座標（ｘ２，ｙ２）を（ａｂｓ（ｘｓ１−ｘｓ２），ｈ１）に設定する。また、全体画像ＰＩＣの幅および高さ（ｗ，ｈ）を（ｍａｘ（ｗ１，ｗ２）＋ａｂｓ（ｘｓ１−ｘｓ２），ｈ１＋ｈ２）に設定する。
【０１０８】
上記設定の妥当性について以下説明する。ｗ１＜ｗ２かつｘｓ１＞ｘｓ２の場合に、端末装置ＴＡ、ＴＢの縦の基準線が表示画面の高さ方向に一直線に並ぶように端末装置ＴＡとＴＢを位置合わせすると、図１３の（ｃ）のような配置となる。
【０１０９】
よって、この場合、全体画像ＰＩＣについて、左端が表示領域ＦＡの左端と一致し、右端が表示領域ＦＢの右端と一致するサイズとすることにより、表示領域ＦＡとＦＢに全体画像ＰＩＣの左端から右端までを表示することができる。つまり、この場合には、全体画像ＰＩＣの幅ｗは、上述のように、ｍａｘ（ｗ１，ｗ２）＋ａｂｓ（ｘｓ１−ｘｓ２）とすることが妥当である。なお、ｗ１＜ｗ２かつｘｓ１＞ｘｓ２であるから、幅ｗは（ｗ２＋ｘｓ１−ｘｓ２）となる。
【０１１０】
また、この場合、全体画像ＰＩＣの左上端と表示領域ＦＡの左上端を一致させると共に、全体画像ＰＩＣの右下端と、表示領域ＦＢの右下端を一致させることにより、表示領域ＦＡとＦＢに全体画像ＰＩＣの左上端から右下端までを表示することができる。つまり、この場合には、全体画像ＰＩＣの高さｈは、上述のように（ｈ１＋ｈ２）と設定することが妥当である。また、表示領域ＦＡの左上端座標（ｘ１，ｙ１）は、同図の（ｅ）に示すように、（０，０）と設定することが妥当である。そして、表示領域ＦＢの左上端座標（ｘ２，ｙ２）は、同図の（ｆ）に示すように、（ｘｓ１−ｘｓ２，ｈ１）と設定することが妥当である。
【０１１１】
〔ｗ１＜ｗ２かつｘｓ１＝ｘｓ２の場合〕
ｗ１＜ｗ２かつｘｓ１＝ｘｓ２であれば、端末装置ＴＡの左上端座標（ｘ１，ｙ１）を（０，０）に設定し、端末装置ＴＢの左上端座標（ｘ２，ｙ２）を（０，ｈ１）に設定できる。また、全体画像ＰＩＣの幅および高さ（ｗ，ｈ）を（ｍａｘ（ｗ１，ｗ２），ｈ１＋ｈ２）に設定する。
【０１１２】
上記設定の妥当性について以下説明する。ｗ１＜ｗ２かつｘｓ１＝ｘｓ２の場合に、端末装置ＴＡ、ＴＢの縦の基準線が表示画面の高さ方向に一直線に並ぶように端末装置ＴＡとＴＢを位置合わせすると、図１２の（ｇ）のような配置となる。よって、この場合、全体画像ＰＩＣについて、左端が表示領域ＦＡおよびＦＢの左端と一致し、右端が表示領域ＦＢの右端と一致するサイズとすることにより、表示領域ＦＡとＦＢに全体画像ＰＩＣの左端から右端までを表示することができる。つまり、この場合には、全体画像ＰＩＣの幅ｗは、同図の（ｈ）に示すように、ｍａｘ（ｗ１，ｗ２）とすることが妥当である。なお、図１３の例ではｗ１＜ｗ２であるから、幅ｗはｗ２に等しくなる。
【０１１３】
また、この場合、全体画像ＰＩＣの左上端と表示領域ＦＡの左上端を一致させると共に、全体画像ＰＩＣの右下端と表示領域ＦＢの右下端を一致させることにより、表示領域ＦＡとＦＢに全体画像ＰＩＣの左上端から右下端までを表示することができる。つまり、この場合には、全体画像ＰＩＣの高さｈは、上述のように（ｈ１＋ｈ２）と設定することが妥当である。また、表示領域ＦＡの左上端座標（ｘ１，ｙ１）は、同図の（ｉ）に示すように、（０，０）と設定することが妥当である。そして、表示領域ＦＢの左上端座標（ｘ２，ｙ２）は、同図の（ｊ）に示すように、（０，ｈ１）と設定することが妥当である。
【０１１４】
〔ｗ１＜ｗ２かつｘｓ１＜ｘｓ２の場合〕
ｗ１＜ｗ２かつｘｓ１＜ｘｓ２であれば、端末装置ＴＡの左上端座標（ｘ１，ｙ１）を（ａｂｓ（ｘｓ１−ｘｓ２），０）に設定し、端末装置ＴＢの左上端座標（ｘ２，ｙ２）を（０，ｈ１）に設定する。また、全体画像ＰＩＣの幅および高さ（ｗ，ｈ）を（ｍｉｎ（ｗ１，ｗ２）＋ａｂｓ（ｘｓ１−ｘｓ２），ｈ１＋ｈ２）に設定する。
【０１１５】
上記設定の妥当性について以下説明する。ｗ１＜ｗ２かつｘｓ１＜ｘｓ２の場合に、端末装置ＴＡ、ＴＢの縦の基準線が表示画面の高さ方向に一直線に並ぶように端末装置ＴＡとＴＢを位置合わせすると、図１３の（ｋ）のような配置となる。よって、この場合、全体画像ＰＩＣについて、左端が表示領域ＦＢの左端と一致し、右端が表示領域ＦＡの右端と一致するサイズとすることにより、表示領域ＦＡとＦＢに全体画像ＰＩＣの左端から右端までを表示することができる。つまり、この場合には、全体画像ＰＩＣの幅ｗは、同図の（ｌ）に示すように、ｍｉｎ（ｗ１，ｗ２）＋ｘｓ２−ｘｓ１とすることが妥当である。なお、ｗ１＜ｗ２かつｘｓ１＜ｘｓ２であるから、幅ｗは（ｗ１＋ｘｓ２−ｘｓ１）となる。
【０１１６】
また、この場合、全体画像ＰＩＣの右上端と表示領域ＦＡの右上端を一致させると共に、全体画像ＰＩＣの左下端と、表示領域ＦＢの左下端を一致させることにより、表示領域ＦＡとＦＢに全体画像ＰＩＣの右上端から左下端までを表示することができる。つまり、この場合には、全体画像ＰＩＣの高さｈは、上述のように（ｈ１＋ｈ２）と設定することが妥当である。また、表示領域ＦＡの左上端座標（ｘ１，ｙ１）は、同図の（ｍ）に示すように、（ｘｓ２−ｘｓ１，０）と設定することが妥当である。そして、表示領域ＦＢの左上端座標（ｘ２，ｙ２）は、同図の（ｎ）に示すように、（０，ｈ１）と設定することが妥当である。
【０１１７】
なお、図７の（ｃ）の例のように、表示領域ＦＡの右端が表示領域ＦＢの右端よりも左側にあり、かつ表示領域ＦＡの左端が表示領域ＦＢの左端よりも右側にある配置もあり得る。このような場合には、全体画像ＰＩＣの幅ｗをｗ２と設定してもよい。
【０１１８】
〔ｗ１≧ｗ２の場合〕
ｗ１≧ｗ２の場合には、全体画像ＰＩＣの幅および高さ（ｗ，ｈ）を、上述の設定におけるｍａｘ（ｗ１，ｗ２）をｍｉｎ（ｗ１，ｗ２）に置換した式で設定可能である。例えば、ｘｓ１＞ｘｓ２であれば、全体画像ＰＩＣの幅および高さ（ｗ，ｈ）は、（ｍｉｎ（ｗ１，ｗ２）＋ａｂｓ（ｘｓ１−ｘｓ２），ｈ１＋ｈ２）に設定する。そして、この場合にｘｓ１≦ｘｓ２であれば、（ｗ，ｈ）を（ｍａｘ（ｗ１，ｗ２）＋ａｂｓ（ｘｓ１−ｘｓ２），ｈ１＋ｈ２）に設定する。
【０１１９】
〔３台以上の連結表示の場合〕
３台以上の連結表示の場合も考え方は同じであり、各端末装置の画面サイズ、隣接関係、および基準点の位置から、何れの端末装置の表示領域が、幅方向および高さ方向の端部に位置するかが決まる。よって、その端部の位置に合わせて全体画像のサイズを決めればよい。例えば、端末装置ＴＡ〜ＴＣの３台で連結表示を行う場合、最も左端に端末装置ＴＡが位置し、最も右端に端末装置ＴＣが位置していれば、端末装置ＴＡの画面左端から、端末装置ＴＣの画面右端までの距離を、全体画像の幅とすればよい。そして、最も上側に端末装置ＴＡが位置し、最も下側に端末装置ＴＢが位置していれば、端末装置ＴＡの画面上端から、端末装置ＴＢの画面下端までの距離を、全体画像の高さとすればよい。
【０１２０】
〔実施形態２〕
本発明の他の実施形態について図１４に基づいて説明する。図１４は、連結表示中におけるユーザ操作に応じた表示の一例を示す図である。なお、説明の便宜上、前記実施形態にて説明した部材と同じ機能を有する部材については、同じ符号を付記し、その説明を省略する。実施形態３以降も同様である。
【０１２１】
図１４の例では、端末装置ＴＡ〜ＴＣの３台で連結表示を行っている。同図の（ａ）に示すように表示画面を横向きとした端末装置ＴＢの上側に、表示画面を何れも縦向きとした端末装置ＴＡ、ＴＣを左右に隣接するように配置し、これらの表示画面に同図の（ｃ）に示す全体画像の一部分を表示している。この例のように、全体画像の一部分を連結表示の対象としてもよい。
【０１２２】
このような表示状態において、端末装置ＴＡ〜ＴＣの何れかに対し、ユーザがフリック操作を行ったとする。なお、フリック操作には、表示画像をスクロールさせる画像処理が予め対応付けられている。この場合、同図の（ｃ）に示すように、フリック操作が行われた端末装置のみならず、他の端末装置の表示画面に表示される画像についてもスクロールさせてもよい。
【０１２３】
また、端末装置ＴＡ〜ＴＣの何れかに対し、ユーザが画像を拡大させる操作を行った場合、同図の（ｄ）に示すように、操作が行われた端末装置のみならず、他の端末装置の表示画面に表示される画像についても拡大表示させてもよい。
【０１２４】
このような表示は、例えば以下のような処理によって実現することができる。なお、以下では端末装置ＴＡがユーザ操作を受け付けた例を説明するが、端末装置ＴＢやＴＣがユーザ操作を受け付けた場合の処理も同様である。連結表示中に表示画像を変更する操作（例えばスクロール、拡大、縮小等）が行われた場合、操作検出部１６がその操作を検出し、操作判定部１７が操作内容を判定する。そして、表示制御部１８は、操作内容の判定結果に従って画像処理を行い、表示させる画像の内容を変更する。また、情報送信部１５は、操作内容の判定結果を、連結表示の対象となっている端末装置ＴＢ、ＴＣに通知する。そして、端末装置ＴＢ、ＴＣの表示制御部１８は、通知された操作内容に従って画像処理を行い、表示させる画像の内容を変更する。なお、操作内容を通知する代わりに、同期表示のために端末装置ＴＢ、ＴＣが行うべき処理を決定し、その決定した処理の実行指示を送信してもよい。また、表示の変更内容を通知して、その変更内容を反映させてもよい。例えば、オフセットを指定して表示領域を変更させたり、拡大率や縮小率を指定して表示画像の拡大率を変更させたりしてもよい。なお、端末装置ＴＡにおいて、拡大率や縮小率を変更した場合、連結表示する画像において端末装置ＴＡの表示領域の占める範囲が変わる。このため、この場合には、端末装置ＴＡ、ＴＢ、ＴＣの表示領域間で画像にずれが生じないように、拡大率または縮小率に応じて端末装置ＴＢ、ＴＣの表示領域のオフセットを変更させる。このように、情報送信部１５が、連結表示中に画像処理が行われる場合に、他の表示装置にもその画像処理を行わせる画像処理制御部として機能することにより、連結表示中の端末装置ＴＡ〜ＴＣにおける表示内容を同期させることができる。
【０１２５】
〔実施形態３〕
本発明のさらに他の実施形態について図１５に基づいて説明する。図１５は、連結表示中の端末装置ＴＣを移動させたときの表示例を示す図である。図１５の例においても、図１４の例と同様に、図１４の（ｂ）に示す全体画像の一部を端末装置ＴＡ〜ＴＣの３台で連結表示している。
【０１２６】
この状態から端末装置ＴＣを移動させた場合、表示に関する制御を行わなければ、同図の（ｂ）に示すように端末装置ＴＣの表示内容は変わらない。一方、端末装置ＴＣが、その移動の方向および距離に応じて表示領域を変化させる表示制御を行った場合、同図の（ｂ）に示すように連結表示されている画像は動かずに、端末装置ＴＣだけが動いたかのような視覚効果を与えることもできる。
【０１２７】
このような表示は、例えば、加速度センサ６により端末装置ＴＣの移動の方向および距離を特定し、表示領域決定部１４がその方向と逆向きに同じ距離だけ表示領域の位置を変化させ、表示制御部１８がこの変化を表示に反映させることにより実現できる。
【０１２８】
また、例えば連結表示開始後に端末装置の向きを変えたときに、各端末装置の表示領域を更新してもよい。例えば、図４の例のように、端末装置ＴＡ（画面サイズ：ｈ１×ｗ１）と端末装置ＴＢ（画面サイズ：ｈ２×ｗ２）が何れも縦向きで横方向に連結表示されている状態において、端末装置ＴＡを横向きに変えた場合を考える。
【０１２９】
この場合、端末装置ＴＡは、全体画像の幅を（ｈ１＋ｗ２）に更新し、表示する範囲も画面の向きに合わせて横向きとする。また、端末装置ＴＡは、自端末の変更後の画面の向きを示す回転情報を端末装置ＴＢに通知し、これにより端末装置ＴＢも、全体画像の幅を（ｈ１＋ｗ２）に更新する。また、端末装置ＴＢは表示領域ＦＢの左上端座標を（ｈ１,０）に更新する。
【０１３０】
〔変形例〕
上記各実施形態では、端末装置のそれぞれが全体画像のサイズとオフセットを算出して連結表示を行う例を示したが、連結表示する端末装置の何れかがホスト装置となり、全体画像のサイズとオフセットを算出する構成としてもよい。この場合、ホスト装置は他の端末装置から連結表示に必要な各種情報を取得し、それを自装置で取得した情報と組み合わせて全体画像のサイズと各端末装置のオフセットを算出する。そして、算出結果に基づいて各端末装置に画像を表示させることにより、上記実施形態と同様の連結表示が実現される。
【０１３１】
また、連結表示する端末装置とは異なる計算装置にて全体画像のサイズとオフセットを算出する構成としてもよい。この計算装置は、各端末装置と通信可能な装置であればよく、例えば各端末装置と通信可能なクラウドサーバであってもよい。この場合、クラウドサーバは各端末装置から連結表示に必要な各種情報を取得し、それに基づいて全体画像のサイズと各端末装置のオフセットを算出する。そして、算出結果に基づいて各端末装置に画像を表示させることにより、上記実施形態と同様の連結表示が実現される。
【０１３２】
〔ソフトウェアによる実現例〕
表示装置ＴＡ〜ＴＣの制御ブロック（特に制御部１に含まれる各ブロック）は、集積回路（ＩＣチップ）等に形成された論理回路（ハードウェア）によって実現してもよいし、ＣＰＵ（Central Processing Unit）を用いてソフトウェアによって実現してもよい。
【０１３３】
後者の場合、表示装置ＴＡ〜ＴＣは、各機能を実現するソフトウェアであるプログラムの命令を実行するＣＰＵ、上記プログラムおよび各種データがコンピュータ（またはＣＰＵ）で読み取り可能に記録されたＲＯＭ（Read Only Memory）または記憶装置（これらを「記録媒体」と称する）、上記プログラムを展開するＲＡＭ（Random Access Memory）などを備えている。そして、コンピュータ（またはＣＰＵ）が上記プログラムを上記記録媒体から読み取って実行することにより、本発明の目的が達成される。上記記録媒体としては、「一時的でない有形の媒体」、例えば、テープ、ディスク、カード、半導体メモリ、プログラマブルな論理回路などを用いることができる。また、上記プログラムは、該プログラムを伝送可能な任意の伝送媒体（通信ネットワークや放送波等）を介して上記コンピュータに供給されてもよい。なお、本発明の一態様は、上記プログラムが電子的な伝送によって具現化された、搬送波に埋め込まれたデータ信号の形態でも実現され得る。
【０１３４】
〔まとめ〕
本発明の態様１に係る表示装置（端末装置ＴＡ〜ＴＣ）は、ユーザに提示する全体画像から複数の異なる切り出し位置で切り出した部分画像を、それぞれ異なる表示装置に表示させて、当該複数の表示装置により上記全体画像を閲覧させる連結表示を行う表示システムに含まれる表示装置であって、自装置の傾きを特定する傾き特定部（１２１）と、上記傾き特定部が特定した傾きに応じて自装置が表示する部分画像の切り出し位置を決定する表示領域決定部（１４）と、を備えている。
【０１３５】
上記の構成によれば、連結表示において表示装置の傾きに応じて自装置が表示する部分画像の切り出し位置が決定される。よって、表示装置のユーザは、連結表示する際に、表示装置の傾きを変えるだけで、全体画像から切り出す部分画像の切り出し位置を容易に変更することができる。
【０１３６】
本発明の態様２に係る表示装置は、上記態様１において、上記表示領域決定部は、上記傾き特定部が特定した傾きに応じて自装置の表示画面上に設定された基準位置を特定すると共に、上記表示システムに含まれる他の表示装置の傾きに応じて当該他の表示装置の表示画面上に設定された当該他の表示装置の基準位置を取得し、それらの基準位置が上記他の表示装置と自装置との隣接方向に一直線上に並ぶように上記他の表示装置と自装置とを位置合わせしたときに、上記全体画像がずれることなく連結表示されるように上記切り出し位置を決定する。
【０１３７】
上記の構成によれば、連結表示する各表示装置の傾きに応じて設定された基準位置に基づいて連結表示における全体画像から切り出す部分画像の切り出し位置が決定される。そして、基準位置が隣接方向に一直線上に並ぶように表示装置を位置合わせしたときに、全体画像がずれることなく連結表示されるように上記切り出し位置が決定される。よって、各表示装置の傾きを調整することにより、画像の所望の領域を連結表示させることができる。
【０１３８】
本発明の態様３に係る表示装置は、上記態様２において、上記表示領域決定部が設定した基準位置に、該基準位置が上記他の表示装置と自装置との位置合わせの基準となる位置であることを示す基準情報を表示させる表示制御部を備えている。
【０１３９】
上記の構成によれば、ユーザは基準情報を見ながら表示装置を正しく位置合わせすることができ、これにより連結表示された画像を、ずれることなく閲覧することができる。
【０１４０】
本発明の態様４に係る表示装置は、上記態様３において、上記表示制御部は、上記連結表示の開始後、所定の条件が充足されるまで上記基準情報を表示させ続け、該所定の条件が充足されたときに上記基準情報の表示を終了する。
【０１４１】
上記の構成によれば、連結表示の開始後、所定の条件が充足されるまで基準情報が表示され続けるので、ユーザは基準情報を参照して表示装置の位置合わせをすることができる。また、所定の条件が充足されると基準情報の表示は終了するので、位置合わせ後に基準情報が連結表示された画像の閲覧の妨げにならないようにすることもできる。
【０１４２】
本発明の態様５に係る表示装置は、上記態様３または４において、上記表示制御部は、上記表示システムに含まれる他の表示装置が表示する部分画像の切り出し位置を示す領域割当情報を自装置の表示画面に表示させる。
【０１４３】
上記の構成によれば、さらに他の表示装置を連結表示する装置として追加するときに、当該さらに他の表示装置の表示する部分画像の切り出し位置を示す領域を、上記領域割当情報が示す領域外に設定することが容易になる。これにより、３台以上の表示装置で連結表示する場合に、連結表示される画像を、重畳部分なく各表示装置に表示させることができる。
【０１４４】
本発明の態様６に係る表示装置は、上記態様１から５の何れかにおいて、連結表示中に自装置の表示画面に表示している部分画像に対する画像処理を行う場合に、上記表示システムに含まれる他の表示装置にも上記画像処理を行わせる画像処理制御部（情報送信部１５）を備えている。
【０１４５】
上記の構成によれば、上記表示装置に画像処理を行わせるだけで、連結表示中の他の表示装置にも同じ画像処理を行わせることができるので、容易に連結表示中の複数の表示装置に同じ画像処理を行わせることができる。
【０１４６】
本発明の態様７に係る表示装置は、上記態様１から６の何れかにおいて、上記表示領域決定部は、連結表示中に自装置が上記表示システムに含まれる他の表示装置に対して移動した場合に、自装置が表示する部分画像の切り出し位置を、該移動の方向および距離に応じて変化させる。
【０１４７】
上記の構成によれば、表示装置を移動させることにより自装置が表示する部分画像の切り出し位置が変化するので、部分画像の切り出し位置を変化させない場合とは異なる視覚効果を生じさせることができる。例えば、移動方向と逆向きに、移動距離と同じ距離だけ部分画像の切り出し位置を変化させてもよい。これにより、連結表示された画像自体は移動せず、表示装置だけが移動したかのような視覚効果を与えることができる。
【０１４８】
本発明の態様８に係る表示装置の制御方法は、ユーザに提示する全体画像から複数の異なる切り出し位置で切り出した部分画像を、それぞれ異なる表示装置に表示させて、当該複数の表示装置により上記全体画像を閲覧させる連結表示を行う表示システムに含まれる表示装置の制御方法であって、自装置の傾きを特定する傾き特定ステップと、
上記傾き特定ステップで特定した傾きに応じて自装置が表示する部分画像の切り出し位置を決定する表示領域決定ステップと、を含む。この制御方法によれば、態様１と同様の作用効果を奏する。
【０１４９】
本発明の各態様に係る表示装置は、コンピュータによって実現してもよく、この場合には、コンピュータを上記表示装置が備える各部（ソフトウェア要素）として動作させることにより上記表示装置をコンピュータにて実現させる表示装置の制御プログラム、およびそれを記録したコンピュータ読み取り可能な記録媒体も、本発明の範疇に入る。
【０１５０】
本発明は上述した各実施形態に限定されるものではなく、請求項に示した範囲で種々の変更が可能であり、異なる実施形態にそれぞれ開示された技術的手段を適宜組み合わせて得られる実施形態についても本発明の技術的範囲に含まれる。さらに、各実施形態にそれぞれ開示された技術的手段を組み合わせることにより、新しい技術的特徴を形成することができる。
【符号の説明】
【０１５１】
ＴＡ、ＴＢ、ＴＣ    端末装置（表示装置）
１２１    傾き特定部
１５    情報送信部（画像処理制御部）
１８    表示制御部
【図１】
2018189826.tif 000003
【図２】
2018189826.tif 000004
【図３】
2018189826.tif 000005
【図４】
2018189826.tif 000006
【図５】
2018189826.tif 000007
【図６】
2018189826.tif 000008
【図７】
2018189826.tif 000009
【図８】
2018189826.tif 000010
【図９】
2018189826.tif 000011
【図１０】
2018189826.tif 000012
【図１１】
2018189826.tif 000013
【図１２】
2018189826.tif 000014
【図１３】
2018189826.tif 000015
【図１４】
2018189826.tif 000016
【図１５】
2018189826.tif 000017